(57)【要約】【課題】  利用者が意識することなく通信料金及び通信速度の観点から無線ＬＡＮを優先的に利用可能な携帯電話機を提供する。【解決手段】  無線ＬＡＮ２のアクセスポイント３を経由してアプリケーションサーバ７にアクセス可能な無線ＬＡＮ接続機能１２と、インターネット５のアクセスポイント６を経由してアプリケーションサーバ７にアクセス可能なインターネット接続機能１３と、を備える携帯電話機１であって、アプリケーションサーバ７に対する接続要求の外部入力を受け付けると、無線ＬＡＮ２に接続利用可能であるか否かを判定する判定手段１４と、無線ＬＡＮ２に接続利用可能であると判定された場合には無線ＬＡＮ接続機能１２を用いて、無線ＬＡＮ２に接続利用可能ではないと判定された場合にはインターネット接続機能１３を用いてアプリケーションサーバ７にアクセスする接続制御手段１５と、を備える。【選択図】        図１
2008187417.tif 000002
【特許請求の範囲】
【請求項１】
無線ＬＡＮのアクセスポイントを経由して携帯電話機が利用可能な所定のアプリケーションを実行可能なアプリケーションサーバにアクセス可能な無線ＬＡＮ接続機能と、インターネットのアクセスポイントを経由して前記アプリケーションサーバにアクセス可能なインターネット接続機能と、を備える携帯電話機であって、
前記アプリケーションサーバに対する接続要求の外部入力を受け付けると、前記無線ＬＡＮに接続して利用可能であるか否かを判定する判定手段と、
前記判定手段において前記無線ＬＡＮに接続して利用可能であると判定された場合に、前記無線ＬＡＮ接続機能を用いて前記アプリケーションサーバにアクセスし、前記判定手段において前記無線ＬＡＮに接続して利用可能ではないと判定された場合に、前記インターネット接続機能を用いて前記アプリケーションサーバにアクセスする接続制御手段と、を備えることを特徴とする携帯電話機。
【請求項２】
前記判定手段は、前記携帯電話機が前記無線ＬＡＮのアクセスポイントによって規定される無線ＬＡＮ通信圏内にあり、且つ、前記無線ＬＡＮ接続機能が利用する前記無線ＬＡＮのアクセスポイントの回線混雑度が所定の判定レベル以下である場合に、前記無線ＬＡＮに接続して利用可能であると判定することを特徴とする請求項１に記載の携帯電話機。
【請求項３】
前記判定手段は、前記アプリケーションサーバに対する接続要求の外部入力を受け付けると、前記インターネット接続機能を用いてインターネットに接続し、前記無線ＬＡＮ接続機能を備えた前記携帯電話機を含む端末機器と前記無線ＬＡＮのアクセスポイントとの間で通信可能か否かを示す端末状態を管理記憶するＳＩＰサーバにアクセスして、前記携帯電話機の前記端末状態を取得し、取得した前記端末状態に基づいて前記携帯電話機が前記無線ＬＡＮのアクセスポイントによって規定される無線ＬＡＮ通信圏内にあるか否かを判定し、前記端末状態から前記携帯電話機が前記無線ＬＡＮ通信圏内にあると判定された場合に、前記無線ＬＡＮに接続して利用可能であると判定し、
前記接続制御手段は、前記判定手段により前記無線ＬＡＮに接続して利用可能であると判定された場合に、前記インターネット接続を終了し、前記無線ＬＡＮ接続機能を用いて前記無線ＬＡＮに接続し、前記無線ＬＡＮに接続して利用可能ではないと判定された場合に、前記インターネット接続機能による前記インターネットへの接続を継続することを特徴とする請求項１または２に記載の携帯電話機。
【請求項４】
前記判定手段は、前記アプリケーションに対する接続要求の外部入力を受け付けると、前記無線ＬＡＮ接続機能を用いて前記無線ＬＡＮのアクセスポイントに対する接続試行動作を行い、前記無線ＬＡＮのアクセスポイントに対する接続試行動作が成功した場合に、前記無線ＬＡＮに接続して利用可能であると判定し、
前記接続制御手段は、前記無線ＬＡＮに接続して利用可能であると判定された場合に、前記無線ＬＡＮ接続機能による前記無線ＬＡＮへの接続を継続し、前記無線ＬＡＮに接続して利用可能ではないと判定された場合に、前記インターネット接続機能により前記インターネットに接続することを特徴とする請求項１または２に記載の携帯電話機。
【発明の詳細な説明】
【技術分野】
【０００１】
本発明は、携帯電話機、特に、無線ＬＡＮのアクセスポイントを経由して携帯電話機が利用可能な所定のアプリケーションを実行可能なアプリケーションサーバにアクセスする無線ＬＡＮ接続機能と、インターネットのアクセスポイントを経由して前記アプリケーションサーバにアクセスするインターネット接続機能と、を備える携帯電話機に関する。
【背景技術】
【０００２】
近年、携帯電話機において、複数の通信経路を利用可能なサービスが提供されている。複数の通信経路を選択的に利用可能な携帯電話機では、従来、携帯電話機上で利用可能なアプリケーションを実行可能なアプリケーションサーバにアクセスする場合、利用者による外部操作に応じて複数の利用可能な通信経路から１つの通信経路を選択し、選択した通信経路によりアプリケーションサーバにアクセスしていた。
【０００３】
ところで、携帯電話機が利用できる通信経路としては、例えば、無線ＬＡＮやインターネットがある。携帯電話機による無線ＬＡＮ通信は、一般的に、個々の通信にかかる通信料金が無料であり、且つ、通信速度がインターネット等より高速であるが、無線ＬＡＮのアクセスポイントは所定の企業内等、限られた範囲内に設置されているので、無線ＬＡＮ通信圏は非常に限られている。これに対し、携帯電話機によるインターネット通信は、一般的に、個々の通信にかかる通信料金が必要であり、通信速度も無線ＬＡＮと比較して劣るものの、インターネット通信圏は、通常は携帯電話通信圏と同じであり無線ＬＡＮに比べて相当広い。このため、無線ＬＡＮ接続機能とインターネット接続機能の両方を備えた携帯電話機では、通信料金及び通信速度の観点から、無線ＬＡＮが接続して利用可能な場合には、無線ＬＡＮ接続機能を優先して利用し、無線ＬＡＮが接続して利用可能ではない場合には、インターネット接続機能を利用することが望ましいといえる。
【０００４】
複数の通信経路を利用する技術には、例えば、利用者の通信サービス参加時に、初期設定として、通信経路の特色、利用目的、用途等別に利用する通信経路の設定を自動的に行う通信経路切り替え制御装置がある（例えば、特許文献１参照）。これは、ＩＰ電話回線や電話回線等の複数の通信経路を利用可能にするために、初期設定を自動的に行うことで、利用者の初期設定にかかる手間を低減するものである。
【０００５】
【特許文献１】特開２００３−６０８０７号公報
【発明の開示】
【発明が解決しようとする課題】
【０００６】
しかしながら、従来の無線ＬＡＮ接続機能とインターネット接続機能の両方を備えた携帯電話機では、利用者が、通信経路を選択した上で、アプリケーションサーバへの接続要求を外部入力するので、必ずしも通信料金や通信速度の観点から最適な通信経路が選択されるとは限らず、更に、通信経路の選択操作が必要であり利用者の利便性が低下する虞がある。また、特許文献１に記載の技術は、初期設定の段階で用途等別に通信経路を設定するものであり、利用者によるアプリケーションへの接続要求の外部入力段階で、無線ＬＡＮのアクセスポイントに対する接続が可能であるか否か等を考慮して通信経路を選択できるものではない。
【０００７】
本発明は上記の問題に鑑みてなされたものであり、その目的は、携帯電話機が利用可能なアプリケーションを利用する際に、利用者が意識することなく通信料金及び通信速度の観点から無線ＬＡＮを優先的に利用可能な携帯電話機を提供する点にある。
【課題を解決するための手段】
【０００８】
上記目的を達成するための本発明に係る携帯電話機は、無線ＬＡＮのアクセスポイントを経由して携帯電話機が利用可能な所定のアプリケーションを実行可能なアプリケーションサーバにアクセス可能な無線ＬＡＮ接続機能と、インターネットのアクセスポイントを経由して前記アプリケーションサーバにアクセス可能なインターネット接続機能と、を備える携帯電話機であって、前記アプリケーションサーバに対する接続要求の外部入力を受け付けると、前記無線ＬＡＮに接続して利用可能であるか否かを判定する判定手段と、前記判定手段において前記無線ＬＡＮに接続して利用可能であると判定された場合に、前記無線ＬＡＮ接続機能を用いて前記アプリケーションサーバにアクセスし、前記判定手段において前記無線ＬＡＮに接続して利用可能ではないと判定された場合に、前記インターネット接続機能を用いて前記アプリケーションサーバにアクセスする接続制御手段と、を備えることを第１の特徴とする。
【０００９】
上記特徴の本発明によれば、無線ＬＡＮに接続して利用可能である場合には無線ＬＡＮに接続するように構成したので、一般的に、個々の通信にかかる料金が無料であり、且つ、通信速度がインターネット等より高速である無線ＬＡＮを優先的に利用することができる。これによって、本発明に係る携帯電話機は、通信料金及び通信速度の観点から最適な通信経路を、利用者が意識することなく、自動的に選択することができ、利用者の通信経路選択にかかる手間を低減し、利用者の利便性を向上させることができる。
【００１０】
上記特徴の本発明に係る携帯電話機は、前記判定手段が、前記携帯電話機が前記無線ＬＡＮのアクセスポイントによって規定される無線ＬＡＮ通信圏内にあり、且つ、前記無線ＬＡＮ接続機能が利用する前記無線ＬＡＮのアクセスポイントの回線混雑度が所定の判定レベル以下である場合に、前記無線ＬＡＮに接続して利用可能であると判定することを第２の特徴とする。
【００１１】
上記特徴の本発明によれば、無線ＬＡＮ通信圏内であることに加え、利用する無線ＬＡＮのアクセスポイントの回線混雑度が所定の判定レベル以下の場合に無線ＬＡＮに接続して利用可能と判定するので、利用する無線ＬＡＮのアクセスポイントの状態に応じた判定を行うことができる。即ち、上記特徴の本発明によれば、利用する無線ＬＡＮのアクセスポイントが回線混雑により通信速度低下や通信の質の低下、意図しない回線切断等の不具合を引き起こす可能性がある場合には、無線ＬＡＮではなくインターネットに接続するように制御されるので、アプリケーション利用時における通信の不具合を良好に回避することが可能になる。
【００１２】
上記何れかの特徴の本発明に係る携帯電話機は、前記判定手段が、前記アプリケーションサーバに対する接続要求の外部入力を受け付けると、前記インターネット接続機能を用いてインターネットに接続し、前記無線ＬＡＮ接続機能を備えた前記携帯電話機を含む端末機器と前記無線ＬＡＮのアクセスポイントとの間で通信可能か否かを示す端末状態を管理記憶するＳＩＰサーバにアクセスして、前記携帯電話機の前記端末状態を取得し、取得した前記端末状態に基づいて前記携帯電話機が前記無線ＬＡＮのアクセスポイントによって規定される無線ＬＡＮ通信圏内にあるか否かを判定し、前記端末状態から前記携帯電話機が前記無線ＬＡＮ通信圏内にあると判定された場合に、前記無線ＬＡＮに接続して利用可能であると判定し、前記接続制御手段が、前記判定手段により前記無線ＬＡＮに接続して利用可能であると判定された場合に、前記インターネット接続を終了し、前記無線ＬＡＮ接続機能を用いて前記無線ＬＡＮに接続し、前記無線ＬＡＮに接続して利用可能ではないと判定された場合に、前記インターネット接続機能による前記インターネットへの接続を継続することを第３の特徴とする。
【００１３】
上記特徴の本発明によれば、インターネット接続により、端末機器と各無線ＬＡＮのアクセスポイントとの間で通信可能か否かを示す端末状態をＳＩＰサーバから取得し、携帯電話機が無線ＬＡＮ通信圏内にあるか否かを判定することによって、無線ＬＡＮに接続して利用可能であるか否かを判定するので、インターネットは通信圏の範囲が広くより確実に接続して利用可能であることから、無線ＬＡＮに接続して利用可能であるか否かの判定を迅速に行うことが可能になる。
【００１４】
上記第１または第２の特徴の本発明に係る携帯電話機は、前記判定手段が、前記アプリケーションに対する接続要求の外部入力を受け付けると、前記無線ＬＡＮ接続機能を用いて前記無線ＬＡＮのアクセスポイントに対する接続試行動作を行い、前記無線ＬＡＮのアクセスポイントに対する接続試行動作が成功した場合に、前記無線ＬＡＮに接続して利用可能であると判定し、前記接続制御手段は、前記無線ＬＡＮに接続して利用可能であると判定された場合に、前記無線ＬＡＮ接続機能による前記無線ＬＡＮへの接続を継続し、前記無線ＬＡＮに接続して利用可能ではないと判定された場合に、前記インターネット接続機能により前記インターネットに接続することを第４の特徴とする。
【００１５】
上記特徴の本発明によれば、無線ＬＡＮ接続機能による無線ＬＡＮへの接続試行動作の成否に基づいて無線ＬＡＮに接続して利用可能であるか否かを判定するので、該判定に通信料金がかからず、より通信費用の低減を図ることができる。
【発明を実施するための最良の形態】
【００１６】
以下、本発明に係る携帯電話機の実施形態を図面に基づいて説明する。
【００１７】
〈第１実施形態〉
本発明に係る携帯電話機の第１実施形態について図１及び図２を基に説明する。
【００１８】
先ず、携帯電話機の構成等について図１を基に説明する。ここで、図１は、携帯電話機１の概略構成、及び、無線ＬＡＮ２、インターネット５との概略接続構成を示している。携帯電話機１は、図１に示すように、通話機能や携帯画面の表示機能、アドレス帳等を含む携帯電話機１の本来の通話関連機能１０、各通信経路とデータ通信を行う通信インターフェース１１等に加え、無線ＬＡＮ２のアクセスポイント３を経由して携帯電話機が利用可能な所定のアプリケーションを実行可能なアプリケーションサーバ７にアクセス可能な無線ＬＡＮ接続機能１２、インターネット５のアクセスポイント６を経由してアプリケーションサーバ７にアクセス可能なインターネット接続機能１３を備えている。更に、携帯電話機１は、アプリケーションサーバ７に対する接続要求の外部入力を受け付けると、無線ＬＡＮ２に接続して利用可能であるか否かを判定する判定手段１４、及び、判定手段１４において無線ＬＡＮ２に接続して利用可能であると判定された場合に、無線ＬＡＮ接続機能１２を用いてアプリケーションサーバ７にアクセスし、判定手段１４において無線ＬＡＮ２に接続して利用可能ではないと判定された場合に、インターネット接続機能１３を用いてアプリケーションサーバ７にアクセスする接続制御手段１５を備えている。
【００１９】
無線ＬＡＮ２は、複数のアクセスポイント３１〜３ｎ（ｎは任意の整数）を備えて構成されており、無線ＬＡＮ通信圏Ａは、無線ＬＡＮ２の各アクセスポイント３によって規定される。また、無線ＬＡＮ２には、無線ＬＡＮ接続機能１２を備えた携帯電話機１を含む端末機器と無線ＬＡＮ２のアクセスポイント３との間で通信可能か否かを示す端末状態を管理記憶するＳＩＰ（Ｓｅｓｓｉｏｎ  Ｉｎｉｔｉａｔｉｏｎ  Ｐｒｏｔｏｃｏｌ）サーバ４が構築されている。ＳＩＰサーバ４は、ＳＩＰという通信制御プロトコルで通信制御を行う。ＳＩＰサーバ４は、無線ＬＡＮ２を経由した場合に加え、後述するインターネット５を経由した場合にも、携帯電話機１から接続することが可能に構成されている。
【００２０】
インターネット５は、複数のアクセスポイント６１〜６ｍ（ｍは任意の整数）を備えており、インターネット通信圏Ｂは、インターネット５のアクセスポイント６によって規定される。アクセスポイント６は、本実施形態では、携帯電話回線のアクセスポイント（基地局）であり、携帯電話回線が利用可能な範囲ではインターネット通信が可能である。また、インターネット５には、携帯電話機上で利用可能なアプリケーションを備えたアプリケーションサーバ７が接続されている。アプリケーションサーバ７は、無線ＬＡＮ２及びインターネット５の何れからもアクセス可能に構成されている。
【００２１】
次に、本実施形態の携帯電話機１の動作について図２を基に説明する。
携帯電話機１は、アプリケーションサーバ７に対する接続要求の外部入力を受け付けると、先ず、無線ＬＡＮ２への接続可否の判定を行う（ステップ＃１１０）。本実施形態では、携帯電話機１が無線ＬＡＮ通信圏Ａ内にあり、且つ、無線ＬＡＮ接続機能１２が利用する無線ＬＡＮ２のアクセスポイント３の回線混雑度が所定の判定レベル以下である場合に、無線ＬＡＮ２に接続して利用可能であると判定する。尚、回線混雑度は、ここでは、利用する無線ＬＡＮ２のアクセスポイント３を経由する通信量を、当該アクセスポイント３に設定された最大通信量で除した値で定義し、判定レベルは、無線ＬＡＮ２のアクセスポイント３の装置構成や処理速度等を考慮して予め設定されている（例えば、８０％等）。
【００２２】
具体的には、携帯電話機１の判定手段１４は、アプリケーションサーバ７に対する接続要求の外部入力を受け付けると、インターネット接続機能１３を用いてインターネット５に接続する（ステップ＃１１１）。電波状況や回線混雑等により、インターネット５への接続が成功しなかった場合には、携帯電話機１は、アプリケーションへのアクセスができない旨を利用者に対して通知し、処理を終了する（ステップ＃１４０）。
【００２３】
インターネット５への接続が成功した場合には、判定手段１４は、無線ＬＡＮ２に構築されたＳＩＰサーバ４にアクセスして、携帯電話機１を含む端末機器と無線ＬＡＮ２のアクセスポイント３との間で通信可能か否かを示す端末状態を取得し、携帯電話機１が無線ＬＡＮ通信圏Ａ内にあるか否かを判定する（ステップ＃１１３）。ここでの端末状態は、端末機器毎の位置情報、例えば、回線が混雑状態にない場合に端末機器から接続可能な無線ＬＡＮ２のアクセスポイント３を記載した端末機器別接続可能ポイント情報や、携帯電話機１が無線ＬＡＮ通信圏Ａ外にあるときは、その旨を示す情報を含んでいる。判定手段１４は、取得した端末状態に、携帯電話機１の端末機器別接続可能ポイント情報が含まれる場合は、携帯電話機１が無線ＬＡＮ通信圏Ａ内にあると判定する。本実施形態の判定手段１４は、携帯電話機１が無線ＬＡＮ通信圏Ａ内にあると判定した場合は、更に、ＳＩＰサーバ４にアクセスして、利用する無線ＬＡＮ２のアクセスポイント３の回線混雑度を取得する。判定手段１４は、取得した回線混雑度が予め設定された判定レベル以下である場合に、無線ＬＡＮ２に接続して利用可能であると判定する（ステップ＃１１４）。尚、携帯電話機１の端末機器別接続可能ポイント情報に複数のアクセスポイント３の情報が含まれる場合は、判定手段１４は、携帯電話機１の端末機器別接続可能ポイント情報に記載されたアクセスポイント３の内の何れか１つの回線混雑度が予め設定された判定レベル以下であれば、無線ＬＡＮ２に接続して利用可能であると判定する。
【００２４】
引き続き、携帯電話機１は、判定手段１４による無線ＬＡＮ２に接続して利用可能であるか否かの判定（ステップ＃１１０）に基づいて、接続制御を行う（ステップ＃１２０）。具体的には、接続制御手段１５は、無線ＬＡＮ２に接続して利用可能ではないと判定された場合（ステップ＃１１４でＹｅｓ分岐）、インターネット接続機能１３によるインターネット５への接続を継続する（ステップ＃１２１）。また、接続制御手段１５は、判定手段１４により無線ＬＡＮ２に接続して利用可能であると判定された場合に（ステップ＃１１４でＹｅｓ分岐）、インターネット５接続を終了し（ステップ＃１２２）、無線ＬＡＮ接続機能１２を用いて無線ＬＡＮ２に接続する（ステップ＃１２３）。
【００２５】
携帯電話機１は、接続制御手段１５により、インターネット接続が継続された後（ステップ＃１２１）、及び、無線ＬＡＮ２に接続された後（ステップ＃１２３）に、接続している通信経路によりアプリケーションサーバ７上のアプリケーションにアクセスする（ステップ＃１３０）。
【００２６】
〈第２実施形態〉
本発明に係る携帯電話機の第２実施形態について図１及び図３を基に説明する。尚、本実施形態の携帯電話機は、上記第１実施形態の携帯電話機とは、判定手段１４及び接続制御手段１５の処理手順が異なる場合について説明する。尚、本実施形態の携帯電話機の基本構成は、上記第１実施形態の携帯電話機の基本構成と同じである。
【００２７】
次に、本実施形態の携帯電話機１の動作について図３を基に説明する。
携帯電話機１は、アプリケーションサーバ７に対する接続要求の外部入力を受け付けると、先ず、無線ＬＡＮ２への接続可否の判定を行う（ステップ＃２１０）。本実施形態では、上記第１実施形態と同様に、携帯電話機１が無線ＬＡＮ通信圏Ａ内にあり、且つ、無線ＬＡＮ接続機能１２が利用する無線ＬＡＮ２のアクセスポイント３の回線混雑度が所定の判定レベル以下である場合に、無線ＬＡＮ２に接続して利用可能であると判定する。
【００２８】
具体的には、本実施形態の携帯電話機１の判定手段１４は、アプリケーションサーバ７に対する接続要求の外部入力を受け付けると、無線ＬＡＮ接続機能１２を用いて無線ＬＡＮ２のアクセスポイント３に対する接続試行動作を行う（ステップ＃２１１）。判定手段１４は、無線ＬＡＮ２のアクセスポイント３に対する接続試行動作が成功した場合に、携帯電話機１が無線ＬＡＮ通信圏Ａ内にあると判定する。本実施形態では、更に、利用する無線ＬＡＮ２のアクセスポイント３の回線混雑度を取得し、回線混雑度が予め設定された判定レベル以下である場合に、無線ＬＡＮ２に接続して利用可能であると判定する（ステップ＃２１２）。判定手段１４は、無線ＬＡＮ２のアクセスポイント３に対する接続試行動作が成功しなかった場合、または、回線混雑度が予め設定された判定レベルより大きい場合は、無線ＬＡＮ２に接続して利用可能ではないと判定する。
【００２９】
接続制御手段１５は、判定手段１４において無線ＬＡＮ２に接続して利用可能であると判定された場合に（ステップ＃２１２でＹｅｓ分岐）、無線ＬＡＮ接続機能１２による無線ＬＡＮ２への接続を継続する（ステップ＃２２１）。接続制御手段１５は、判定手段１４において無線ＬＡＮ２に接続して利用可能ではないと判定された場合に（ステップ＃２１２でＮｏ分岐）、インターネット接続機能１３によりインターネット５のアクセスポイント６に対する接続試行動作を行う（ステップ＃２２２）。
【００３０】
携帯電話機１は、接続制御手段１５により無線ＬＡＮ２への接続が継続された後（ステップ＃２２１）、及び、インターネット接続に切り替えられた後（ステップ＃２２３）に、接続している通信経路によりアプリケーションサーバ７にアクセスする。また、携帯電話機１は、接続制御手段１５により、インターネット接続機能１３によるインターネット５のアクセスポイント６への接続が失敗した場合は（ステップ＃２２３でＮｏ分岐）、アプリケーションへのアクセスができない旨を利用者に対して通知し、処理を終了する（ステップ＃２４０）。
【００３１】
〈別実施形態〉
〈１〉上記第１及び第２実施形態では、無線ＬＡＮ２の回線混雑度を携帯電話機１において判定したが、これに限るものではない。例えば、無線ＬＡＮ２のアクセスポイント３が回線混雑時に接続制限等を行っている場合には、無線ＬＡＮ２のアクセスポイント３への接続が許可されたことを持って、無線ＬＡＮ２の回線混雑度が所定の判定レベル以下であると見なしてもよい。
【００３２】
〈２〉上記第１実施形態では、インターネット５に接続してＳＩＰサーバ４から携帯電話機１の端末状態を取得し、取得した端末状態に基づいて、上記第２実施形態では、無線ＬＡＮ２への接続試行動作の成否により、無線ＬＡＮ２に接続して利用可能であるか否かを判定したが、これに限るものではない。例えば、無線ＬＡＮ２のアクセスポイント３の電波強度等から無線ＬＡＮ通信圏Ａ内であるか否かを判定し、これを利用して無線ＬＡＮ２に接続して利用可能であるか否かを判定してもよい。
【図面の簡単な説明】
【００３３】
【図１】本発明に係る携帯電話機の概略構成、及び、無線ＬＡＮ、インターネットとの概略接続構成を示す概略ブロック図
【図２】本発明に係る携帯電話機の第１実施形態における処理動作を示すフローチャート
【図３】本発明に係る携帯電話機の第２実施形態における処理動作を示すフローチャート
【符号の説明】
【００３４】
１    本発明に係る携帯電話機
２    無線ＬＡＮ
３    アクセスポイント
４    ＳＩＰサーバ
５    インターネット
６    アクセスポイント
７    アプリケーションサーバ
１０  通話関連機能
１１  通信インターフェース
１２  無線ＬＡＮ接続機能
１３  インターネット接続機能
１４  判定手段
１５  接続制御手段
Ａ    無線ＬＡＮ通信圏
Ｂ    インターネット通信圏
【図１】
2008187417.tif 000003
【図２】
2008187417.tif 000004
【図３】
2008187417.tif 000005